(57)【要約】      （修正有）【課題】ファスナーを閉じた状態ではコンパクトであり、ファスナーを開いた状態では底面の幅が広がって安定化し、更に開口部が広がって筆記具等を取り出し易くできるペンケースを提供する。【解決手段】正面部１１ａと、背面部と、正面部の周囲に接続する正面側面部１２ａと、背面部の周囲に接続する背面側面部１２ｂと、正面側面部と背面側面部とを少なくても底面で接続するマチ部と、マチ部の端部中央を一端とし、正面側面部１２ａと背面側面部１２ｂの端辺にエレメント１３ａ，１３ｂが形成されるファスナー部とを有するペンケースである。【選択図】図１
0003213220.tif 000002
【実用新案登録請求の範囲】
【請求項１】
正面部と、前記正面部の周囲に接続する正面側面部と、背面部と、前記背面の周囲に接続する背面側面部とを備えるペンケースであって、
前記正面側面部と前記背面側面部とを少なくとも底面で接続するマチ部と、
前記マチ部の端部中央をエレメントの一端とし、前記正面部に接続していない前記正面側面部の周囲と、前記背面部に接続していない前記背面側面部の周囲とに前記エレメントが形成されたファスナー部とを有することを特徴とするペンケース。
【請求項２】
ファスナー部のエレメントの他端は、前記ファスナー部をスライダーで閉じた場合に前記エレメントの一端を覆うことになることを特徴とする請求項１記載のペンケース。
【請求項３】
マチ部は、正面側面部と背面側面部との間に折り目が形成されており、ファスナー部をスライダーで閉じると、前記折り目が内部に突出して収納され、前記正面側面部の周囲に形成されたエレメントと前記背面側面部の周囲に形成されたエレメントとが接続することを特徴とする請求項１又は２記載のペンケース。
【請求項４】
エレメントの一端を下止とし、他端を上止としたことを特徴とする請求項１乃至３のいずれか記載のペンケース。
【請求項５】
マチ部は、底面に加えて、ファスナー部に沿って側面まで延びて形成されていることを特徴とする請求項１乃至４のいずれか記載のペンケース。
【考案の詳細な説明】
【技術分野】
【０００１】
本考案は、ペンケースに係り、特に、ファスナーを開いた状態にすると、底面のマチが広がって底面が安定し、更に開口部が開いて筆記具等を取り出し易くしたペンケースに関する。
【背景技術】
【０００２】
［先行技術の説明］
従来のペンケースは、筆記具等の取り出し口となる上面と側面に亘ってファスナーが設けられ、筆記具等を出し入れする際にはファスナーを開き、持ち運ぶ際にはファスナーを閉じて使用されていた。
【０００３】
［関連技術］
尚、関連する先行技術としては、実用新案登録第３１０１２７８号公報「ペンケース」（特許文献１）がある。
特許文献１には、ペンケースにおいて、スライドファスナーを有し、外蓋体を立体的に形成することが記載されている。
【先行技術文献】
【特許文献】
【０００４】
【特許文献１】実用新案登録第３１０１２７８号公報
【考案の概要】
【考案が解決しようとする課題】
【０００５】
しかしながら、従来のペンケースでは、ファスナーを閉じた状態に比べて、ファスナーを開いた状態において、底面が広がって安定化するものではなく、更に開口部も大きく開いて筆記具等を取り出し易くできるものではないという問題点があった。
【０００６】
尚、特許文献１には、ファスナーを開いた場合に底面が広がって安定化し、更に開口部も大きく広がることは記載されていない。
【０００７】
本考案は上記実状に鑑みて為されたもので、ファスナーを閉じた状態ではコンパクトであり、ファスナーを開いた状態では底面の幅が広がって安定化し、更に開口部が広がって筆記具等を取り出し易くできるペンケースを提供することを目的とする。
【課題を解決するための手段】
【０００８】
上記従来例の問題点を解決するための本考案は、正面部と、正面部の周囲に接続する正面側面部と、背面部と、背面の周囲に接続する背面側面部とを備えるペンケースであって、正面側面部と背面側面部とを少なくとも底面で接続するマチ部と、マチ部の端部中央をエレメントの一端とし、正面部に接続していない正面側面部の周囲と、背面部に接続していない背面側面部の周囲とにエレメントが形成されたファスナー部とを有することを特徴とする。
【０００９】
本考案は、上記ペンケースにおいて、ファスナー部のエレメントの他端が、ファスナー部をスライダーで閉じた場合にエレメントの一端を覆うことになることを特徴としている。
【００１０】
本考案は、上記ペンケースにおいて、マチ部が、正面側面部と背面側面部との間に折り目が形成されており、ファスナー部をスライダーで閉じると、折り目が内部に突出して収納され、正面側面部の周囲に形成されたエレメントと背面側面部の周囲に形成されたエレメントとが接続することを特徴としている。
【００１１】
本考案は、上記ペンケースにおいて、エレメントの一端を下止とし、他端を上止としたことを特徴としている。
【００１２】
本考案は、上記ペンケースにおいて、マチ部が、底面に加えて、ファスナー部に沿って側面まで延びて形成されていることを特徴としている。
【考案の効果】
【００１３】
本考案によれば、正面部と、正面部の周囲に接続する正面側面部と、背面部と、背面の周囲に接続する背面側面部とを備え、正面側面部と背面側面部とを少なくとも底面で接続するマチ部と、マチ部の端部中央をエレメントの一端とし、正面部に接続していない正面側面部の周囲と、背面部に接続していない背面側面部の周囲とにエレメントが形成されたファスナー部とを有するペンケースとしているので、ファスナー部を閉じると、マチ部の幅が狭くなってコンパクトになり、ファスナー部を開くと、マチ部の幅が広がって底面が安定化し、上面の開口部もマチ部の幅分広がって、筆記具等を取り出し易くできる効果がある。
【図面の簡単な説明】
【００１４】
【図１】本ペンケースの概略図である。
【図２】本ペンケースの閉じた状態の正面図である。
【図３】本ペンケースの閉じた状態の背面図である。
【図４】本ペンケースの閉じた状態の左側面図である。
【図５】本ペンケースの閉じた状態の右側面図である。
【図６】本ペンケースの閉じた状態の平面図である。
【図７】本ペンケースの開いた状態の左側面図である。
【図８】本ペンケースの開いた状態の平面図である。
【考案を実施するための形態】
【００１５】
本考案の実施の形態について図面を参照しながら説明する。
［実施の形態の概要］
本考案の実施の形態に係るペンケースは、正面部と、背面部と、正面部の周囲に接続する正面側面部と、背面部の周囲に接続する背面側面部と、正面側面部と背面側面部とを少なくても底面で接続するマチ部と、マチ部の端部中央を一端とし、正面側面部と背面側面部の端辺にエレメントが形成されるファスナー部とを有するペンケースとしているので、ファスナー部をスライダーで閉じると、マチ部が内側に畳み込まれて幅が狭くなってコンパクトになり、ファスナー部を開くと、マチ部が広がって底面が安定化し、マチ部が広がったことにより上面の開口部も広がって、筆記具等を取り出し易くできるものである。
【００１６】
［本ペンケース：図１］
本考案の実施の形態に係るペンケース（本ペンケース）について図１を参照しながら説明する。図１は、本ペンケースの概略図である。図１では、マチ部を広げた状態の斜視図となっている。
本ペンケースは、図１に示すように、正面部１１ａと、その周囲に接続する正面側面部１２ａと、その周囲に形成されたエレメント１３ａと、背面部１１ｂ（図１では隠れている）と、その周囲に接続する背面側面部１２ｂと、その周囲に形成されたエレメント１３ｂと、正面側面部１２ａと背面側面部１２ｂとを接続するマチ部とを備え、筆記具等を使用する時には、ファスナー部を開くとエレメント１３ａ，１３ｂが開いた状態となり、底面におけるマチ部が広がって安定化している。
マチ部の広がりに合わせて、上面のファスナー部もその幅分広がって開いている。
【００１７】
また、図１の本ペンケースにおいて、左側面におけるスライダー１を下側に押し下げると、エレメント１３ａとエレメント１３ｂとが接合してファスナー部が閉じられ、底面、右側面、上面のエレメント１３ａとエレメント１３ｂとが接合し、更に、左側面の途中までファスナー部が閉じられる構成である。
ファスナー部が閉じられると、マチ部がケース内に畳み込まれ、マチ部の幅分狭くなって全体がコンパクトになる。
【００１８】
［本ペンケースの閉じた状態：図２〜６］
次に、本ペンケースの閉じた状態について図２〜６を参照しながら説明する。図２は、本ペンケースの閉じた状態の正面図であり、図３は、本ペンケースの閉じた状態の背面図であり、図４は、本ペンケースの閉じた状態の左側面図であり、図５は、本ペンケースの閉じた状態の右側面図であり、図６は、本ペンケースの閉じた状態の平面図である。
【００１９】
本ペンケースは、図２，４〜６に示すように、方形の正面部１１ａと、その正面部１１ａの端辺に接続する正面側面部１２ａと、その正面側面部１２ａに接続するファスナー部のエレメント１３ａと有している。エレメント１３ａは、正面部１１ａとは反対側の正面側面部１２ａの端辺に形成されている。
また、本ペンケースは、図３，４〜６に示すように、方形の背面部１１ｂと、その背面部１１ｂの端辺に接続する背面側面部１２ｂと、背面部１１ｂとは反対側の背面側面部１２ｂの端辺に形成されるファスナー部のエレメント１３ｂと有している。
【００２０】
そして、ファスナー部のエレメント１３ａ，１３ｂはスライダー１で開閉する構成となっている。
ここで、ファスナー部のエレメント１３ａ，１３ｂは、正面側面部１２ａと背面側面部１２ｂを約一周して形成されているのが特徴である。
【００２１】
［本ペンケースの開いた状態：図７，８］
次に、本ペンケースの開いた状態について図７，８を参照しながら説明する。図７は、本ペンケースの開いた状態の左側面図であり、図８は、本ペンケースの開いた状態の平面図である。
本ペンケースは、図７，８に示すように、正面側面部１２ａと背面側面部１２ｂとがマチ部１４ａ，１４ｂで接続されている。
マチ部１４ａ，１４ｂは、一体のものであるが、中央に内側に折り曲がる折り目が形成され、その折り目より正面側がマチ部１４ａであり、背面側がマチ部１４ｂである。
また、マチ部１４ａ，１４ｂは、底面だけでなく、図７に示すように、ファスナー部に沿った側面の一部に亘って形成されている。
【００２２】
特に、図７に示すように、左側面部において、スライダー１が止まっているエレメントの一端にファスナーの下止１５が形成されている。尚、図７では、下止１５がストッパー部２内に形成されているため点線で描いている。
その下止１５からエレメントはヘの字型で正面側にエレメント１３ａが形成され、背面側にエレメント１３ｂが形成されている。
ここで、ファスナー部のエレメント１３ａ，１３ｂは、下止１５からマチ部の幅分、斜め方向に広げて縫い付けてある。
【００２３】
そして、エレメント１３ａ，１３ｂは、本ペンケースの左側面、底面、右側面、上面を経由して、左側面まで一周して形成され、その左側面に上止１６ａ，１６ｂが形成されている。つまり、エレメント１３ａ，１３ｂの他端は、図７では、スライダー１の左下と右下となっており、その部分がエレメントの上止１６ａ，１６ｂとなる。
従って、本ペンケースは、正面側面部１２ａ、背面側面部１２ｂの一周以上に亘って形成されるものである。
【００２４】
また、図７の左側面において、下止１５が上側で、上止１６ａ，１６ｂが下側に形成されている。つまり、ファスナー部のエレメント１３ａ，１３ｂの他端（上止１６ａ，１６ｂ）は、ファスナー部のスライダー１で閉じた場合に、エレメント１３ａ，１３ｂの一端（下止１５）を覆うことになるものである。
【００２５】
また、マチ部１４ａ，１４ｂの端辺には、ストッパー部２が形成されて、更に、ファスナーを閉じる際に、スライダー１を引くときに反対方向に押さえておくための保持部３が形成されている。
ストッパー部２は、エレメント１３ａと正面側面部１２ａの接続部に接続し、エレメント１３ｂと背面側面部１２ｂの接続部に接続している。
尚、ストッパー部２と保持部３は、中央部に内側に折り曲がる折り目が形成されている。
【００２６】
このような構成とすることで、図７において、ファスナー部を閉じる際には、スライダー１を一周させて上から下に下ろすと、ストッパー部２と保持部３がケース内に納まり易くなるものである。
本ペンケースの開いた状態の右側面でもストッパー部はあるものの、保持部は形成されていない。
【００２７】
［本ペンケースの動作方法］
本ペンケースは、開いた状態（図７参照）で、エレメントの下止１５からスライダー１を下ろしながら閉めると、マチ部１４ａ，１４ｂがケースの内側に折り込まれて、正面側面部１２ａと背面側面部１２ｂの底辺が接合し、更にスライダー１を閉める方向に動かすと、右側面、上面でも正面側面部１２ａと背面側面部１２ｂが接合して、左側面でも同様に接合してエレメントの上止１６ａ，１６ｂでスライダー１が止まる。
【００２８】
この本ペンケースが閉じた状態は、マチ部１４ａ，１４ｂが内側に折り込まれるため、その部分だけ幅が狭くなり、コンパクト（小型化）になるものである。
また、本ペンケースを閉じた状態から開く場合には、上記操作と逆の操作を行うと、マチ部１４ａ，１４ｂが広がって、幅が広くなり、安定化するものである。
【００２９】
つまり、本ペンケースが開いた状態では、マチ部１４ａ，１４ｂが広がった状態で全体としての幅が広がり、底面が安定して立てて使用することができる。
また、上面のエレメント１３ａ，１３ｂも底面のマチ部に広がりに合わせて開くことになるので、筆記具等を出し入れし易くなるものである。
【００３０】
また、本ペンケースを閉じた状態では、マチ部１４ａ，１４ｂが折り畳まれ、その幅の分だけ狭くなるため、全体の幅を狭くすることができ、コンパクトになり持ち運びに便利となるものである。
【００３１】
［実施の形態の効果］
本ペンケースによれば、正面部１１ａと、背面部１１ｂと、正面部１１ａの周囲に接続する正面側面部１２ａと、背面部１１ｂの周囲に接続する背面側面部１２ｂと、正面側面部１２ａと背面側面部１２ｂとを少なくても底面で接続するマチ部１４ａ，１４ｂと、マチ部１４ａ，１４ｂの端部中央を一端とし、正面側面部１２ａと背面側面部１２ｂの端辺にエレメント１３ａ，１３ｂが形成されるファスナー部とを有するものとしているので、一端からファスナー部をスライダー１で閉じると、マチ部１４ａ，１４ｂが内側に畳み込まれて幅が狭くなってコンパクトになり、ファスナー部を開くと、マチ部１４ａ，１４ｂが広がって底面が安定化し、マチ部１４ａ，１４ｂが広がったことにより上面の開口部も広がって、筆記具等を取り出し易くできる効果がある。
【産業上の利用可能性】
【００３２】
本考案は、ファスナーを閉じた状態ではコンパクトであり、ファスナーを開いた状態では底面の幅が広がって安定化し、更に開口部が広がって筆記具等を取り出し易くできるペンケースに適している。
【符号の説明】
【００３３】
１…スライダー、  ２…ストッパー部、  ３…保持部、  １１ａ…正面部、  １１ｂ…背面部、  １２ａ…正面側面部、  １２ｂ…背面側面部、  １３ａ，１３ｂ…エレメント、  １４ａ，１４ｂ…マチ部、  １５…下止、  １６ａ，１６ｂ…上止
【図１】
0003213220.tif 000003
【図２】
0003213220.tif 000004
【図３】
0003213220.tif 000005
【図４】
0003213220.tif 000006
【図５】
0003213220.tif 000007
【図６】
0003213220.tif 000008
【図７】
0003213220.tif 000009
【図８】
0003213220.tif 000010